(57)【要約】【課題】電子機器を、それに比較的小規模で安価に用意することができる手段を備えさせたもとで、それを動作させようとする者が本人であることが確認されてはじめて動作状態をとるように制御することができる制御方法を提供する。【解決手段】メモリ部に製造関連識別データＩＤｍが格納された非接触ＩＣカード１００に対するデータ送出要求を行い、そのデータ送出要求に応じて非接触ＩＣカード１００がメモリ部から読み出して送出する製造関連識別データＩＤｍを取り込み、取り込まれた製造関連識別データＩＤｍについての確認を行って、確認された製造関連識別データＩＤｍを電子機器１０の動作制御に際して必要とされる鍵データとして、電子機器１０の動作制御を行う。【選択図】　　　　図１
2004054305.tif 000002
【特許請求の範囲】
【請求項１】
メモリ部に固有の識別データが格納された非接触ＩＣカードに対するデータ送出要求を行い、該データ送出要求に応じて上記非接触ＩＣカードが上記メモリ部から読み出して送出する固有の識別データを取り込み、取り込まれた固有の識別データについての確認を行って、確認された固有の識別データを電子機器の動作制御に際して必要とされる鍵データとして、上記電子機器の動作制御を行うことを特徴とする非接触ＩＣカードを用いた電子機器制御方法。
【請求項２】
非接触ＩＣカードに対するデータ送出要求を、所定の期間内において上記非接触ＩＣカードが固有の識別データをメモリ部から読み出して送出するまで、周期的に繰り返し行うことを特徴とする請求項１記載の非接触ＩＣカードを用いた電子機器制御方法。
【請求項３】
非接触ＩＣカードに対するデータ送出要求が所定の期間に亙って周期的に繰り返し行われても、上記非接触ＩＣカードから固有の識別データが送出されないとき、時間切れ処理を行って、少なくとも一時的に、上記非接触ＩＣカードからの上記固有の識別データの取込みを断念することを特徴とする請求項２記載の非接触ＩＣカードを用いた電子機器制御方法。
【請求項４】
時間切れ処理として、非接触ＩＣカードの使用者に対し、該非接触ＩＣカードを固有の識別データをメモリ部から読み出して送出する状態におくことを促す表示を行うことを特徴とする請求項３記載の非接触ＩＣカードを用いた電子機器制御方法。
【請求項５】
非接触ＩＣカードについての固有の識別データとして、該非接触ＩＣカードが備えるメモリ部に格納された製造関連識別データを用いることを特徴とする請求項１記載の非接触ＩＣカードを用いた電子機器制御方法。
【請求項６】
メモリ部に固有の識別データが格納された非接触ＩＣカードへのデータの送出及び該非接触ＩＣカードからのデータの取込みを行う機能を具えたデータ送出・取込み部と、
データ処理もしくは信号処理を行って処理されたデータもしくは信号に基づく出力を発生する動作部と、
上記データ送出・取込み部及び動作部に対する動作制御を行う動作制御部と、
上記データ送出・取込み部，動作部及び動作制御部に対する電源部と、
を備え、
上記データ送出・取込み部が、上記非接触ＩＣカードに対するデータ送出要求を行う手段と、上記データ送出要求に応じて上記非接触ＩＣカードが上記メモリ部から読み出して送出する固有の識別データを取り込む手段と、取り込まれた固有の識別データについての確認を行う手段と、確認された固有の識別データを電子機器の動作制御に際して必要とされる鍵データとして上記動作制御部に供給する手段とを備えたものとされて、
構成されることを特徴とする電子機器。
【請求項７】
データ送出・取込み部が、非接触ＩＣカードに対するデータ送出要求を、所定の期間内において上記非接触ＩＣカードが固有の識別データをメモリ部から読み出して送出するまで、周期的に繰り返し行うことを特徴とする請求項６記載の電子機器。
【請求項８】
データ送出・取込み部が、非接触ＩＣカードに対するデータ送出要求が所定の期間に亙って周期的に繰り返し行われても、上記非接触ＩＣカードから固有の識別データが送出されないとき、時間切れ処理を行って、少なくとも一時的に、上記非接触ＩＣカードからの上記固有の識別データの取込みを断念することを特徴とする請求項７記載の電子機器。
【請求項９】
動作制御部による動作制御を受ける表示部が備えられ、データ送出・取込み部が、時間切れ処理として、上記動作制御部に、上記非接触ＩＣカードの使用者に上記非接触ＩＣカードを固有の識別データをメモリ部から読み出して送出する状態におくことを促す表示が上記表示部により行われる動作制御を行わせることを特徴とする請求項８記載の電子機器。
【請求項１０　】データ送出・取込み部が、非接触ＩＣカードが送出する固有の識別データとして、該非接触ＩＣカードが備えるメモリ部に格納された製造関連識別データを取り込むことを特徴とする請求項６記載の電子機器。
【発明の詳細な説明】
【０００１】
【発明の属する技術分野】
本願の特許請求の範囲に記載された発明は、鍵データを用いて電子機器をそれに誤用等防止機能（以下、セキュリティ機能という）を果たさせるべく制御する電子機器制御方法、及び、斯かる電子機器制御方法が実施される電子機器に関する。
【０００２】
【従来の技術】
例えば、車両に搭載されるオーディオ機器，ビデオ機器等の電子機器にあっては、当該電子機器の所有者等の適正な使用者（以下、本人という）以外の者による使用である誤用を防止すべく、当該電子機器を動作させようとする者が本人であることが確認されてはじめて動作状態をとるように制御することが提案されている。このような電子機器の制御を行うにあたっては、電子機器に、本人であることを確認するための本人認証手段を、内蔵もしくは外付けされたものとして備えさせることが必要とされる。
【０００３】
従来提案されている本人認証手段として、人の指紋，声紋あるいは虹彩パターンを利用するものが、一般的使用に供されるものとして知られている。このような本人認証手段は、本人の指紋，声紋あるいは虹彩パターンを予め登録しておき、認証に際しては、その都度、本人の指紋，声紋あるいは虹彩パターンを、予め登録された指紋，声紋あるいは虹彩パターンと照合して、その照合結果に基づいて本人であることの確認を行うようにされる。
【０００４】
【発明が解決しようとする課題】
上述の如くの人の指紋，声紋あるいは虹彩パターンを利用する本人認証手段は、通常、比較的大掛かりな手段とされ、また、高価なものされる。さらに、本人認証にあたっての手順，操作等が、認証を受けようとする者にとって煩わしさを感じさせることになり易い。それゆえ、このような従来知られている本人認証手段は、前述の車両に搭載されるオーディオ機器，ビデオ機器等の電子機器については、内蔵される場合のみならず、外付けされる場合であっても、装備し難いものとされることになり、実装に向いていない。
【０００５】
従って、比較的大掛かりな手段とされ、また、高価なものされる指紋，声紋あるいは虹彩パターンを利用する本人認証手段を要することなく、かつ、使用者に煩わしさを感じさせることなく、電子機器を、それを動作させようとする者が本人であることが確認されてはじめて動作状態をとるように制御できるようにすることが望まれるところとなっている。
【０００６】
斯かる点に鑑み、本願の特許請求の範囲に記載された発明は、例えば、車両に搭載されるオーディオ機器，ビデオ機器等の電子機器を、それに比較的小規模で安価に用意することができる手段を備えさせたもとで、しかも、使用者に煩わしさを感じさせる虞なく、それを動作させようとする者が本人であることが確認されてはじめて動作状態をとるように制御することができる、非接触ＩＣ（集積回路）カードを用いた電子機器制御方法、及び、斯かる電子機器制御方法による制御を可能とする比較的小規模で安価に用意することができる手段を備えた電子機器を提供する。
【０００７】
【課題を解決するための手段】
本願の特許請求の範囲における請求項１から請求項５までのいずれかに記載された発明に係る非接触ＩＣカードを用いた電子機器制御方法は、メモリ部に固有の識別データが格納された非接触ＩＣカードに対するデータ送出要求を行い、そのデータ送出要求に応じて非接触ＩＣカードがメモリ部から読み出して送出する固有の識別データを取り込み、取り込まれた固有の識別データについての確認を行って、確認された固有の識別データを電子機器の動作制御に際して必要とされる鍵データとして、電子機器についての動作制御を行うことを特徴とするものとされる。
【０００８】
特に、本願の特許請求の範囲における請求項５に記載された非接触ＩＣカードを用いた電子機器制御方法は、非接触ＩＣカードについての固有の識別データとして、当該非接触ＩＣカードが備えるメモリ部に格納された製造関連識別データを用いるものとされる。
【０００９】
また、本願の特許請求の範囲における請求項６から請求項１０までのいずれかに記載された発明に係る電子機器は、メモリ部に固有の識別データが格納された非接触ＩＣカードへのデータの送出及び該非接触ＩＣカードからのデータの取込みを行う機能を具えたデータ送出・取込み部と、データ処理もしくは信号処理を行って処理されたデータもしくは信号に基づく出力を発生する動作部と、データ送出・取込み部及び動作部に対する動作制御を行う動作制御部と、データ送出・取込み部，動作部及び動作制御部に対する電源部とを備え、データ送出・取込み部が、非接触ＩＣカードに対するデータ送出要求を行う手段と、データ送出要求に応じて非接触ＩＣカードがメモリ部から読み出して送出する固有の識別データを取り込む手段と、取り込まれた固有の識別データについての確認を行う手段と、確認された固有の識別データを鍵データとして動作制御部に供給する手段とを備えたものとされて、構成される。
【００１０】
特に、本願の特許請求の範囲における請求項１０に記載された電子機器は、データ送出・取込み部が、非接触ＩＣカードが送出する固有の識別データとして、当該非接触ＩＣカードが備えるメモリ部に格納された製造関連識別データを取り込むものとされる。
【００１１】
上述の如くの本願の特許請求の範囲における請求項１から請求項５までのいずれかに記載された発明に係る非接触ＩＣカードを用いた電子機器制御方法にあっては、非接触ＩＣカードが備えるメモリ部に格納された固有の識別データが、電子機器の動作制御に要される鍵データとして利用される。それにより、非接触ＩＣカードに識別データを送出させるとともに送出された識別データを取り込むための、比較的小規模で安価に用意することができる手段を電子機器に備えさせたもとで、使用者に煩わしさを感じさせる虞なく、電子機器をそれを動作させようとする者が本人であることが確認されてはじめて動作状態をとるように制御することができることになる。
【００１２】
なお、非接触ＩＣカードが備えるメモリ部に格納された固有の識別データとしては、本願の特許請求の範囲における請求項５に記載された発明に係る非接触ＩＣカードを用いた電子機器制御方法の場合の如く、例えば、当該非接触ＩＣカードについての製造関連識別データが用いられる。
【００１３】
また、本願の特許請求の範囲における請求項６から請求項１０までのいずれかに記載された発明に係る電子機器にあっては、メモリ部に固有の識別データが格納された非接触ＩＣカードからのデータの取込み及びその非接触ＩＣカードへのデータの送出を行う機能を具えたデータ送出・取込み部が備えられ、それによって、非接触ＩＣカードに対するデータ送出要求と非接触ＩＣカードから送出された識別データの取込みとを行い、取り込まれた固有の識別データを確認して、確認された固有の識別データを鍵データとして動作制御部に供給する。それにより、非接触ＩＣカードに識別データを送出させるとともに送出された識別データを取り込むための、比較的小規模で安価に用意することができる手段を備えたもとで、電子機器をそれを動作させようとする者が本人であることが確認されてはじめて動作状態をとるようにする制御が、使用者に煩わしさを感じさせる虞なく行われることになる。
【００１４】
なお、データ送出・取込み部が取り込む、非接触ＩＣカードからの固有の識別データは、本願の特許請求の範囲における請求項１０に記載された発明に係る電子機器の場合の如く、例えば、当該非接触ＩＣカードについての製造関連識別データとされる。
【００１５】
【発明の実施の形態】
図１は、本願の特許請求の範囲における請求項１から請求項５までのいずれかに記載された発明に係る非接触ＩＣカードを用いた電子機器制御方法の一例の実施に供される、本願の特許請求の範囲における請求項６から請求項１０までのいずれかに記載された発明に係る電子機器の一例と非接触ＩＣカードの一例とをあらわす。
【００１６】
図１においては、本願の特許請求の範囲における請求項６から請求項１０までのいずれかに記載された発明に係る電子機器の一例が、電子機器１０として示されている。電子機器１０は、例えば、車両に搭載されて使用されるオーディオ機器とされており、図１に示される状態にあっては、メモリ部に固有の識別データが格納された非接触ＩＣカード１００が近接した位置に置かれている。そして、電子機器１０にあっては、非接触ＩＣカード１００へのデータの送出及び非接触ＩＣカード１００からのデータの取込みを行う機能を具えたデータ送出・取込み部１１が備えられ、また、データ処理もしくは信号処理を行って処理されたデータもしくは信号に基づく出力を発生する動作部を形成する、ＦＭ／ＡＭチューナ部１２，ミニ・ディスク（Ｍｉｍｉ　Ｄｉｓｃ：ＭＤ）デッキ部１３及びオーディオパワーアンプ（ＡＭＰ）部１４が設けられている。
【００１７】
ＦＭ／ＡＭチューナ部１２は、ＦＭオーディオ放送信号もしくはＡＭオーディオ放送信号についての選択受信を行う。また、ＭＤデッキ部１３は、ＭＤが装着されて、装着されたＭＤを回転駆動し、それに対するオーディオ信号もしくはデータの記録あるいはそれからのオーディオ信号もしくはデータの再生を行う。さらに、ＡＭＰ部１４は、ＦＭ／ＡＭチューナ部１２から得られるオーディオ信号，ＭＤデッキ部１３から得られるオーディオ信号等についての出力増幅を行う。
【００１８】
また、電子機器１０にあっては、データ送出・取込み部１１，ＦＭ／ＡＭチューナ部１２，ＭＤデッキ部１３，ＡＭＰ部１４等々についての動作制御を行う動作制御部を形成する制御ユニット１５が設けられている。そして、制御ユニット１５には、各種の調整／制御用釦，キ−操作データ入力部等を含めた操作部１６と制御ユニット１５による動作制御のもとに画像表示を行う表示部１７とが連結されている。制御ユニット１５は、例えば、マイクロコンピュータが用いられて構成される。さらに、図１に示される電子機器の例には、データ送出・取込み部１１，ＦＭ／ＡＭチューナ部１２，ＭＤデッキ部１３，ＡＭＰ部１４，制御ユニット１５，キー操作部１６，表示部１７等々の各部に動作電圧を供給する電源部１８が備えられている。
【００１９】
非接触ＩＣカード１００は、例えば、図２に示される如くの、データ処理構成を内蔵している。図２に示される非接触ＩＣカード１００におけるデータ処理構成は、ＩＣチップ２０とそれに接続されたアンテナ部２１とを含んでいる。
【００２０】
ＩＣチップ２０にあっては、マイクロコンピュータによって構成された制御ユニット２２が備えられており、この制御ユニット２２に、データバス２３を介して、メモリ部を形成するランダムアクセスメモリ（ＲＡＭ）２４，リードオンリーメモリ（ＲＯＭ）２５及びエレクトリカリーイレイザブル／プログラマブル・リードオンリーメモリ（ＥＥＰＲＯＭ）２６が連結されている。また、制御ユニット２２には、データの暗号化にあたって役割を果たす暗号化部２７及びデータを用いた種々の計算を行う計算部２８も接続されている。
【００２１】
さらに、ＩＣチップ２０には、制御ユニット２２及びＲＡＭ２４の両者に連結された送受信部２９が備えられている。送受信部２９は、制御ユニット２２もしくはＲＡＭ２４からのデータに応じた搬送波信号を形成して、それをＩＣチップ２０外に配されたアンテナ部２１を通じて無線送信する役割、及び、非接触ＩＣカード１００外からの無線送信された搬送波信号をアンテナ部２１を通じて受信し、受信した搬送波信号から再生されたデータを、制御ユニット２２もしくはＲＡＭ２４に供給する役割を果たす。また、送受信部２９は、非接触ＩＣカード１００外から無線送出された電力をアンテナ部２１を通じて受け、それにより得られる動作電圧ＶＰを、ＩＣチップ２０内の制御ユニット２２等を含む各動作部に供給する。
【００２２】
図３は、非接触ＩＣカード１００に内蔵されたＩＣチップ２０内におけるＲＡＭ２４，ＲＯＭ２５及びＥＥＰＲＯＭ２６によって形成されるメモリ部（ＩＣチップ２０内メモリ部）の一例を、概念的にあらわす。このＩＣチップ２０内メモリ部の一例にあっては、その全体がシステムブロックとユーザブロックとに区分されている。
【００２３】
システムブロックは、非接触ＩＣカード１００に内蔵されたＩＣチップ２０及びアンテナ部２１を実際に機能させるにあたって必要とされる管理データ等が格納される部分である。そして、このシステムブロックの一部が、当該非接触ＩＣカード１００についての製造関連識別データＩＤｍが格納された部分ＡＲｍとされている。この部分ＡＲｍは、データを一度だけ書き込むことができ、そこに書き込まれたデータついては書換えも消去も行うことができない領域とされている。従って、部分ＡＲｍに格納された、非接触ＩＣカード１００についての製造関連識別データＩＤｍは、一旦格納されると、その後変更あるいは消去されないものとされ、それを読み出すことだけが可能とされる。
【００２４】
図４は、部分ＡＲｍに格納される非接触ＩＣカード１００についての製造関連識別データＩＤｍと、それと共に部分ＡＲｍに格納される、当該非接触ＩＣカード１００についての製造パラメータをあらわすデータＰＭｍとの一例を示す。図４に示される例にあっては、製造関連識別データＩＤｍが、８個の８ビット（ｂｉｔ）　データＤ０，Ｄ１，Ｄ２，・・・，Ｄ７が連なって形成される８バイト（Ｂｙｔｅ）　構成のデータとされている。そして、８ビットデータＤ０及びＤ１が製造コードをあらわし、８ビットデータＤ２及びＤ３が製造機器コードをあらわし、８ビットデータＤ４及びＤ５が製造日付けをあらわし、８ビットデータＤ６及びＤ７が製造シリアル番号をあらわす。この製造関連識別データＩＤｍの内容は、当該非接触ＩＣカード１００に固有のものであって、当該非接触ＩＣカード１００の製造関連識別データＩＤｍの内容と同じ内容の製造関連識別データを有した他の非接触ＩＣカードは存在しない。
【００２５】
また、製造パラメータをあらわすデータＰＭｍも、８個の８ビットデータＤ８，Ｄ９，Ｄ１０，・・・，Ｄ１５が連なって形成される８バイト構成のデータとされていて、製造関連識別データＩＤｍに連なり、製造関連識別データＩＤｍと共に全体として１６バイト構成のデータを形成している。データＰＭｍにあっては、８ビットデータＤ８〜Ｄ１５の全体で、非接触ＩＣカード１００についての各種の製造パラメータをあらわしている。これらの製造関連識別データＩＤｍ及び製造パラメータをあらわすデータＰＭｍは、非接触ＩＣカード１００の製造時にシステムブロックの部分ＡＲｍに書き込まれる。
【００２６】
一方、ユーザブロックは、非接触ＩＣカード１００が使用される本来のサービスの運用にあたって必要とされるデータの書込み，変更，消去，読出等に用いられる領域である。
【００２７】
図５は、図１に示される電子機器１０におけるデータ送出・取込み部１１の具体構成例を示す。図５に示される具体構成例は、ＩＣチップ３０とそれに接続されたアンテナ部３１とを含んで構成されている。
【００２８】
ＩＣチップ３０にあっては、マイクロコンピュータによって構成された制御ユニット３２が備えられており、この制御ユニット３２に、データバス３３を介して、メモリ部を形成するＲＡＭ３４，ＲＯＭ３５及びＥＥＰＲＯＭ３６が連結されている。それに加えて、制御ユニット３２には、データの暗号化にあたって役割を果たす暗号化部３７及びデータを用いた種々の計算を行う計算部３８も接続されている。
【００２９】
また、ＩＣチップ３０には、制御ユニット３２及びＲＡＭ３４の両者に連結された送受信部３９、及び、制御ユニット３２及びデータバス３３に連結されたインターフェース部４０が備えられている。送受信部３９は、制御ユニット３２もしくはＲＡＭ３４からのデータに応じた搬送波信号を形成して、それをＩＣチップ３０外に配されたアンテナ部３１を通じて無線送信する役割、及び、データ送出・取込み部１１外からの無線送信された搬送波信号をアンテナ部３１を通じて受信し、受信した搬送波信号から再生されたデータを、制御ユニット３２もしくはＲＡＭ３４に供給する役割を果たす。インターフェース部４０は、端子４１及び４２を通じて、電子機器１０における制御ユニット１５に連結されており、制御ユニット１５と制御ユニット３２もしくはＲＡＭ３４との間でのデータの送受が行われるようにする。
【００３０】
さらに、ＩＣチップ３０には、電源制御部４３が備えられている。電源制御部４３は、端子４４を通じて電子機器１０における電源部１８に連結されており、電源部１８からの動作電圧が供給される。この電源制御部４３は、電源部１８からの動作電圧を、直接にもしくは調整を加えて、ＩＣチップ３０内における制御ユニット３２，送受信部３９等を含む各動作部に供給し、また、送受信部３９からの要求指令ＳＱを受けて、送受信部３９に送出用の動作電圧ＶＴを供給する。
【００３１】
電源制御部４３からの送出用の動作電圧ＶＴを受けた送受信部３９は、その動作電圧ＶＴを、無線送出することができるものに変換して、アンテナ部３１を通じてデータ送出・取込み部１１外に無線送出する。
【００３２】
上述の如くに、図１に示される電子機器１０に備えられるデータ送出・取込み部１１は、例えば、ＩＣチップ３０とアンテナ部３１とを含んで構成され、それゆえ、比較的小規模で安価に用意することができ、電子機器１０への組込みが極めて容易なものとされる。
【００３３】
このようなもとで、電子機器１０が、例えば、使用者によって操作部１６が操作され、動作を開始すべき状態にされるときには、制御ユニット１５による動作制御のもとに、データ送出・取込み部１１において、制御ユニット３２が、先ず、送受信部３９に電源制御部４３に対する要求指令ＳＱの送出を行わせて、送受信部３９に送出用の動作電圧ＶＴが電源制御部４３から供給される状態となす。続いて、送受信部３９に、送出用の動作電圧ＶＴを無線送出することができるものに変換して、アンテナ部３１を通じて無線送出するとともに、非接触ＩＣカード１００に対してデータ送出を要求するデータをアンテナ部３１を通じて電子機器１０外に無線送信して、非接触ＩＣカード１００に対するデータ送出要求（ポーリング：Ｐｏｌｌｉｎｇ）を行う状態をとらせる。斯かる非接触ＩＣカード１００に対するポーリングは、データ送出・取込み部１１が非接触ＩＣカード１００からの固有の識別データである製造関連識別データＩＤｍを取り込む状態を得るべく行われ、予め設定された所定の期間内において、非接触ＩＣカード１００が、それについての固有の識別データである製造関連識別データＩＤｍをメモリ部から読み出し、それをアンテナ部２１を通じて送出するまで、周期的に繰り返される。
【００３４】
このとき、非接触ＩＣカード１００が、図１に示される状態とは異なって、電子機器１０に近接した位置に置かれていない場合には、非接触ＩＣカード１００は、データ送出・取込み部１１からアンテナ部３１を通じて無線送出される動作電圧ＶＴと無線送信されるデータ送出を要求するデータとを受けることができず、固有の識別データである製造関連識別データＩＤｍをメモリ部から読み出して、それをアンテナ部２１を通じて送出する動作は行わない。斯かる際には、データ送出・取込み部１１における制御ユニット３２は、非接触ＩＣカード１００に対するポーリングを周期的に繰り返す状態が予め設定された所定の期間を越えた時間切れ（タイムアウト）の状態となったとき、非接触ＩＣカード１００に対するデータ送出要求を中断して、タイムアウト処理を行う。
【００３５】
斯かるタイムアウト処理にあっては、データ送出・取込み部１１による非接触ＩＣカード１００からの製造関連識別データＩＤｍの取込みを一時的に断念することとして、非接触ＩＣカード１００に対するポーリングを一旦止め、電子機器１０における表示部１７に、非接触ＩＣカード１００の所有者に対して、非接触ＩＣカード１００を製造関連識別データＩＤｍをメモリ部から読み出して送出する状態におくことを促す表示を行わせる動作制御状態を、動作制御ユニット１５にとらせる。そして、表示部１７による表示がなされた後、非接触ＩＣカード１００に対するポーリングを再開する。
【００３６】
非接触ＩＣカード１００が、図１に示される如くに、電子機器１０に近接した位置に置かれた場合には、非接触ＩＣカード１００における送受信部２９が、データ送出・取込み部１１からアンテナ部３１を通じて無線送出される動作電圧ＶＴと無線送信されるデータ送出を要求するデータとを、アンテナ部２１を通じて受ける。そして、送受信部２９は、データ送出・取込み部１１からの動作電圧ＶＴに基づく動作電圧を、ＩＣチップ２０内の各動作部に供給して、制御ユニット２２をはじめ各動作部を動作可能状態とするとともに、データ送出・取込み部１１からのデータ送出を要求するデータを制御ユニット２２に供給する。それに応じて、制御ユニット２２は、固有の識別データである製造関連識別データＩＤｍをメモリ部から読み出し、送受信部２９に、メモリ部から読み出された製造関連識別データＩＤｍをアンテナ部２１を通じて無線送信させる。
【００３７】
このようにして、非接触ＩＣカード１００から製造関連識別データＩＤｍが無線送信されると、データ送出・取込み部１１における送受信部３９が、無線送信された製造関連識別データＩＤｍをアンテナ部３１を通じて受け、それを制御ユニット３２に供給する動作を行い、それにより、データ送出・取込み部１１が非接触ＩＣカード１００から無線送信された製造関連識別データＩＤｍを取り込む状態が得られる。
【００３８】
斯かるもとで、非接触ＩＣカード１００から無線送信された製造関連識別データＩＤｍが供給された制御ユニット３２は、その製造関連識別データＩＤｍについての獲得を確認し、獲得が確認された製造関連識別データＩＤｍを、電子機器１０の動作制御に際して必要とされる鍵データとして、電子機器１０に備えられた制御ユニット１５に供給し、それにより電子機器１０についての動作制御を行うこととする。そして、制御ユニット３２は、獲得が確認された製造関連識別データＩＤｍを鍵データとして電子機器１０についての動作制御を行うために、獲得が確認された製造関連識別データＩＤｍについての登録処理，セキュリティ運用処理，カスタマイズ処理等のうちの選択されたものを実行する。
【００３９】
このようにして、図１に示される電子機器１０に対する動作制御が、非接触ＩＣカード１００に備えられたメモリ部に格納された製造関連識別データＩＤｍが、非接触ＩＣカード１００に備えられたメモリ部に格納された固有の識別データとして用いられて、それが電子機器１０に備えられたデータ送出・取込み部１１により取り込まれるとき、製造関連識別データＩＤｍを鍵データとして行われることになる。その際、非接触ＩＣカード１００の所有者である電子機器１０の使用者には、電子機器１０に備えられたデータ送出・取込み部１１に対して非接触ＩＣカード１００を近接させてかざすことが要求されるだけであるので、上述の動作制御は、使用者に煩わしさを感じさせる虞がないもとで行われる。
【００４０】
上述のデータ送出・取込み部１１における制御ユニット３２による製造関連識別データＩＤｍを獲得するための処理は、例えば、図６に示されるフローチャートによってあらわされる制御プログラムに従って実行される。
【００４１】
図６に示されるフローチャートによってあらわされる制御プログラムにあっては、スタート後、ステップ５１おいて、データ送出・取込み部１１をリセット状態にし、続くステップ５２において、送受信部３９に非接触ＩＣカード１００に対するポーリングを行う状態をとらせるべく、送受信部３９に対するポーリング要求を行う。
【００４２】
次に、ステップ５３において、データ送出・取込み部１１がポーリングを周期的に繰り返す状態が予め設定された所定の期間を越えたタイムアウトの状態となったか否かを判断し、タイムアウトの状態となっていない場合には、ステップ５４において、非接触ＩＣカード１００からの製造関連識別データＩＤｍが取り込まれたか否かを判断する。
【００４３】
ステップ５４での判断の結果、製造関連識別データＩＤｍが取り込まれていない場合には、ステップ５１に戻る。一方、ステップ５４での判断の結果、製造関連識別データＩＤｍが取り込まれた場合には、ステップ５５において、製造関連識別データＩＤｍの獲得を確認して、プログラムを終了する。
【００４４】
また、ステップ５３での判断の結果、タイムアウトの状態となった場合には、ステップ５６において、タイムアウト処理を行い、その後ステップ５１に戻る。
【００４５】
前述のデータ送出・取込み部１１における制御ユニット３２による、獲得が確認された製造関連識別データＩＤｍについての登録処理は、例えば、図７に示されるフローチャートによってあらわされる制御プログラムに従って実行される。
【００４６】
図７に示されるフローチャートによってあらわされる制御プログラムにあっては、スタート後、ステップ６１おいて、電子機器１０における表示部１７に、『登録モード』の表示を行わせる動作制御状態を制御ユニット１５にとらせる。続いて、ステップ６２おいて、表示部１７に、『登録モード』の表示に加えて、非接触ＩＣカード１００の所有者に対する『カードをかざして下さい』の表示を行わせる動作制御状態を制御ユニット１５に行わせる。
【００４７】
次に、ステップ６３において、前述の製造関連識別データＩＤｍを獲得するための処理を実行して、ステップ６４に進み、ステップ６４において、製造関連識別データＩＤｍの獲得が確認されたか否かを判断する。その結果、製造関連識別データＩＤｍの獲得が確認された場合には、ステップ６５において、確認された製造関連識別データＩＤｍがメモリ部に格納された非接触ＩＣカード１００の所有者の名前（ユーザ名）の入力を要求し、続くステップ６６において、ステップ６５において入力されたユーザ名とステップ６４において確認された製造関連識別データＩＤｍとを関連付ける事項の登録処理を行って、プログラムを終了する。
【００４８】
一方、ステップ６４での判断の結果、製造関連識別データＩＤｍの獲得が確認されない場合には、ステップ６７において、ステップ６４での判断の繰返しが所定回数に達したか否かを判断する。その結果、所定回数に達していない場合には、ステップ６１に戻り、所定回数に達した場合には、プログラムを終了する。
【００４９】
また、前述のデータ送出・取込み部１１における制御ユニット３２による、獲得が確認された製造関連識別データＩＤｍについてのセキュリティ運用処理は、例えば、図８に示されるフローチャートによってあらわされる制御プログラムに従って実行される。
【００５０】
図８に示されるフローチャートによってあらわされる制御プログラムにあっては、スタート後、ステップ７１おいて、電子機器１０における表示部１７に『ＬＯＣＫ』の表示を行わせる動作制御状態を制御ユニット１５にとらせる。表示部１７における『ＬＯＣＫ』の表示は、電子機器１０の動作制御に非接触ＩＣカード１００からの製造関連識別データＩＤｍが必要とされるセキュリティＬＯＣＫの状態にあることをあらわす。続いて、ステップ７２において、表示部１７に、『ＬＯＣＫ』の表示に加えて、非接触ＩＣカード１００の所有者に対する『カードをかざして下さい』の表示を行わせる動作制御状態を制御ユニット１５にとらせる。
【００５１】
次に、ステップ７３において、前述の製造関連識別データＩＤｍを獲得するための処理を実行して、ステップ７４に進み、ステップ７４において、製造関連識別データＩＤｍの獲得が確認されたか否かを判断する。その結果、製造関連識別データＩＤｍの獲得が確認された場合には、ステップ７５において、確認された製造関連識別データＩＤｍを、予め登録されている製造関連識別データＩＤｍと照合し、ステップ７６において、照合結果が適正であったか否かを判断する。
【００５２】
その結果、照合結果が適正であった場合には、ステップ７７において、セキュリティＬＯＣＫの状態を解除するとともに、表示部１７に、『ＬＯＣＫ解除』の表示を行わせる動作制御状態を制御ユニット１５にとらせる。
【００５３】
その後、ステップ７８において、電子機器１０に対する各種の動作制御を行うことができる通常動作状態を設定して、プログラムを終了する。
【００５４】
一方、ステップ７６での判断の結果、照合結果が適正でなかった場合には、そのままプログラムを終了する。さらに、ステップ７４での判断の結果、製造関連識別データＩＤｍの獲得が確認されない場合には、ステップ７９において、ステップ７４での判断の繰返しが所定回数に達したか否かを判断する。その結果、所定回数に達していない場合には、ステップ７１に戻り、所定回数に達した場合には、プログラムを終了する。
【００５５】
さらに、前述のデータ送出・取込み部１１における制御ユニット３２による、獲得が確認された製造関連識別データＩＤｍについてのカスタマイズ処理は、例えば、図９に示されるフローチャートによってあらわされる制御プログラムに従って実行される。
【００５６】
図９に示されるフローチャートによってあらわされる制御プログラムにあっては、スタート後、ステップ８１おいて、電子機器１０における表示部１７に『カスタマイズ』の表示を行わせる動作制御状態を制御ユニット１５にとらせ、続いて、ステップ８２において、表示部１７に、『カスタマイズ』の表示に加えて、非接触ＩＣカード１００の所有者に対する『カードをかざして下さい』の表示を行わせる動作制御状態を制御ユニット１５にとらせる。
【００５７】
次に、ステップ８３において、前述の製造関連識別データＩＤｍを獲得するための処理を実行して、ステップ８４に進み、ステップ８４において、製造関連識別データＩＤｍの獲得が確認されたか否かを判断する。その結果、製造関連識別データＩＤｍの獲得が確認された場合には、ステップ８５において、確認された製造関連識別データＩＤｍを、予め登録されている製造関連識別データＩＤｍと照合し、ステップ８６において、照合結果が適正であったか否かを判断する。
【００５８】
その結果、照合結果が適正であった場合には、ステップ８７において、照合された製造関連識別データＩＤｍがメモリ部に格納された非接触ＩＣカード１００の所有者に、カスタマイズ事項の入力を要求する。所有者によって入力されるカスタマイズ事項は、例えば、電子機器１０におけるＭＤデッキ１３，ＡＭＰ部１４等に対する制御条件等とされ、制御ユニット１５に与えられるべきものとされる。
【００５９】
次に、ステップ８８において、ステップ８５において照合された製造関連識別データＩＤｍとステップ８７において入力されたカスタマイズ事項とを関連付ける事項の登録処理を行って、プログラムを終了する。
【００６０】
一方、ステップ８６での判断の結果、照合結果が適正でなかった場合には、そのままプログラムを終了する。さらに、ステップ８４での判断の結果、製造関連識別データＩＤｍの獲得が確認されない場合には、ステップ８９において、ステップ７４での判断の繰返しが所定回数に達したか否かを判断する。その結果、所定回数に達していない場合には、ステップ８１に戻り、所定回数に達した場合には、プログラムを終了する。
【００６１】
【発明の効果】
以上の説明から明らかな如く、本願の特許請求の範囲における請求項１から請求項５までのいずれかに記載された発明に係る非接触ＩＣカードを用いた電子機器制御方法によれば、非接触ＩＣカードが備えるメモリ部に格納された、例えば、製造関連識別データとされる固有の識別データを、電子機器の動作制御に要される鍵データとして利用することにより、非接触ＩＣカードに識別データを送出させるとともに送出された識別データを取り込むための、比較的小規模で安価に用意することができる手段を電子機器に備えさせたもとで、使用者に煩わしさを感じさせる虞なく、電子機器をそれを動作させようとする者が本人であることが確認されてはじめて動作状態をとるように制御することができることになる。
【００６２】
また、本願の特許請求の範囲における請求項６から請求項１０までのいずれかに記載された発明に係る電子機器によれば、メモリ部に、例えば、製造関連識別データとされる固有の識別データが格納された非接触ＩＣカードへのデータの送出及びその非接触ＩＣカードからのデータの取込みを行う機能を具えたデータ送出・取込み部が備えられ、それによって、非接触ＩＣカードに対するデータ送出要求と非接触ＩＣカードから送出された識別データの取込みとを行い、取り込まれた固有の識別データを確認して、確認された固有の識別データを鍵データとして動作制御部に供給することにより、非接触ＩＣカードに識別データを送出させるとともに送出された識別データを取り込むための、比較的小規模で安価に用意することができる手段を備えたもとで、電子機器をそれを動作させようとする者が本人であることが確認されてはじめて動作状態をとるようにする制御を、使用者に煩わしさを感じさせる虞なく行うことができることになる。
【図面の簡単な説明】
【図１】本願の特許請求の範囲における請求項１から請求項５までのいずれかに記載された発明に係る非接触ＩＣカードを用いた電子機器制御方法の一例の実施に供される、本願の特許請求の範囲における請求項６から請求項１０までのいずれかに記載された発明に係る電子機器の一例と非接触ＩＣカードの一例とをあらわすブロック接続図である。
【図２】図１に示される非接触ＩＣカードにおけるデータ処理構成の一例を示すブロック接続図である。
【図３】図１に示される非接触ＩＣカードに内蔵されたＩＣチップ内におけるメモリ部の説明に供される概念図である。
【図４】図１に示される非接触ＩＣカードに内蔵されたＩＣチップ内におけるメモリ部に格納される製造関連識別データと製造パラメータをあらわすデータの一例の説明に供される概念図である。
【図５】図１に示されるデータ送出・取込み部の具体構成例を示すブロック接続図である。
【図６】図５に示される制御ユニットが製造関連識別データを獲得するための処理にあたって実行する制御プログラムの一例をあらわすフローチャートである。
【図７】図５に示される制御ユニットが製造関連識別データについての登録処理にあたって実行する制御プログラムの一例をあらわすフローチャートである。
【図８】図５に示される制御ユニットが製造関連識別データについてのセキュリティ運用処理にあたって実行する制御プログラムの一例をあらわすフローチャートである。
【図９】図５に示される制御ユニットが製造関連識別データについてのカスタマイズ処理にあたって実行する制御プログラムの一例をあらわすフローチャートである。
【符号の説明】
１０・・・電子機器，　１１・・・データ送出・取込み部，　１５，２２，３２・・・制御ユニット，　１６・・・操作部，　１７・・・表示部，　１８・・・電源部，　２０，３０・・・ＩＣチップ，　２１，３１・・・アンテナ部，　２４，３４・・・ＲＡＭ，　２５，３５・・・ＲＯＭ，　２６，３６・・・ＥＥＰＲＯＭ，　２２，３７・・・暗号化部，　２８，３８・・・計算部，　２９，３９・・・送受信部，　４３・・・電源制御部，　１００・・・非接触ＩＣカード
【図１】
2004054305.tif 000003
【図２】
2004054305.tif 000004
【図３】
2004054305.tif 000005
【図４】
2004054305.tif 000006
【図５】
2004054305.tif 000007
【図６】
2004054305.tif 000008
【図７】
2004054305.tif 000009
【図８】
2004054305.tif 000010
【図９】
2004054305.tif 000011